(57)【要約】  一対の機能的金属イオンバンドが提供される。前記一対の機能的金属イオンバンドは、人体に電流の滑らかな流れを誘発する簡単なやり方で人体の経絡および鍼のツボに接着され、それによって、疾病状態を正常状態に速やかに変える。前記一対の機能的金属イオンバンドは、正電極として金色の薄い金属プレートおよび負電極として銀色の薄い金属プレートを備え、前記金色の薄い金属プレートは、Ｃｕと、Ａｇ、ＡｕおよびＰｔから選択された金属と、から構成され、前記銀色の薄い金属プレートは、Ａｌ、Ｓｉ、Ｆｅ、Ｃｕ、Ｍｎ、ＭｇおよびＺｎの合金から作られる。前記一対の機能的金属イオンバンドは、薄い金属プレートの各々を、１μｍ〜１ｃｍの厚さおよび１ｍｍ〜５０ｃｍの直径を有するように加工し、加工された金属プレートを柔らかな接着剤ファブリックの一方の側部に接着剤を使用して接着することによって製造される。
2009530015.tif 000002
【特許請求の範囲】
【請求項１】
手と足の経絡および鍼のツボに同時に接着される一対の機能的金属イオンバンドであって、正電極としての金属イオンバンドおよび負電極としての金属イオンバンドから構成され、前記正電極は、基本的材料としてＣｕ合金製の金色の薄い金属プレートを有し、前記負電極は、基本的材料としてＡｌ合金製の銀色の薄い金属プレートを有する、一対の機能的金属イオンバンド。
【請求項２】
前記正電極は、Ｐｂ、Ｃｄ、Ｈｇおよび六価Ｃｒ（それらは、発がん性であるか、または致命的な疾患を引き起こす）がなく、特定有害物質使用制限（ＲｏＨＳ）指令に準拠し、基本的材料として、５１〜９９．９６重量％の、９９．９２％の純度を有する電気負電極銅地金（Ｃｕ）または９９．９６％の純度を有する純銅を、０．０４〜４９重量％の、金（Ａｕ）、銀（Ａｇ）およびプラチナ（Ｐｔ）から選択された金属と混合して、金属合金を製造し、前記金属合金を冷間圧延し、前記冷間圧延された金属合金を、１μｍ〜１ｃｍの厚さおよび１ｍｍ〜５０ｃｍの直径を有する薄い金属プレートに切断し、前記金属プレートを柔らかな接着剤ファブリックの一方の側部に接着剤を使用して接着することによって製造される、請求項１記載の前記一対の機能的金属イオンバンド。
【請求項３】
前記負電極は、食品容器に使用されるのに適切であり、特定有害物質使用制限（ＲｏＨＳ）指令に準拠し、９９．３〜９９．７重量％のアルミニウム（Ａｌ）を、０．０１〜０．３重量％のケイ素（Ｓｉ）、０．０１〜０．３５重量％の鉄（Ｆｅ）、０．００１〜０．００２重量％の銅（Ｃｕ）、０．００１〜０．００３重量％のマンガン（Ｍｎ）、０．００１〜０．００５重量％のマグネシウム（Ｍｇ）、０．００１重量％の亜鉛（Ｚｎ）、０．００１〜０．００６重量％のチタン（Ｔｉ）および０．００５〜０．０３３重量％の空気と混合して、金属合金材料を製造し、前記金属合金材料を冷間圧延し、前記冷間圧延された金属合金材料を、１μｍ〜１ｃｍの厚さおよび１ｍｍ〜５０ｃｍの直径を有する薄い金属プレートに切断し、前記金属プレートを柔らかな接着剤ファブリックの一方の側部に接着剤を使用して接着することによって製造される、請求項１記載の前記一対の機能的金属イオンバンド。
【請求項４】
前記マグネシウム（Ｍｇ）含有量は、５．６重量％へ増加され、代わりに前記アルミニウム（Ａｌ）含有量は、９３．７０５重量％へ減少される、請求項３記載の前記一対の機能的金属イオンバンド。
【発明の詳細な説明】
【技術分野】
【０００１】
本発明は、金属イオンを使用する機能的バンド（以下、「機能的金属イオンバンド」と称する）に関する。より具体的には、本発明は、一対の機能的金属イオンバンドに関し、これは、異なる金属合金材料から構成された金属プレートを備え、それらは、人体に電流の滑らかな流れを誘発する簡単なやり方で手と足の経絡および鍼のツボに同時に接着され、それによって、疾病状態を正常状態に速やかに変える。
【背景技術】
【０００２】
電流は、常に人体を通って循環する。この電流は、「人体電流（body current）」と呼ばれる。人体電流は、健康な人ではよく流れるが、疾病のある人または特定の部位に問題があり、それが痛みを伴う場合には、まったく電流が流れないか、または過度に大量の電流または少量の電流がヒトに流れる。例えば、フグによって生成される毒であるテトロドトキシンは、ナトリウムイオン（Ｎａ＋）が細胞膜を通って浸透するのを抑制し、人体電流の流れを阻止し、神経系を麻痺させ、急死を招く。有害物質、例えば重金属およびポリ塩化ビフェニルは、人体電流の流れを阻止し、高い率でがんおよび難病を発生させる。人体電流の流れおよび阻止は、それぞれ瞬時に生命を助けることも失わせることもある。
ナトリウムイオン（Ｎａ＋）は、内部よりも細胞外部で、より高い濃度で存在し、カリウムイオン（Ｋ＋）は、より低い濃度で存在する。細胞の内部および外部でイオンが異なる濃度で存在する理由は、大量のＫ＋およびほんの少量のＮａ＋が細胞膜を通って進み、ポンプが作用して、Ｋ＋を細胞内部に吸収し、Ｎａ＋を細胞外部に排出するからである。結果として、細胞内で、−９０ｍＶ〜−１００ｍＶの細胞内電圧で電流が流れる。
表１は、様々な状態下での人体電流値およびヒトの皮膚の電気抵抗値を要約する。
【０００３】
【表１】
2009530015.tif 000003
【０００４】
ニューロンの励起は、励起されたニューロンが、他のニューロンよりも、より電気的に陰性であることを意味する。この場合に、励起されたニューロンの内部で、電流は、反対方向に流れる。結果として、励起されたニューロン間のインタフェースに回路が形成される。このようにして形成された回路は、「局所人体回路」と称され、回路に沿って流れる電流は、「局所電流」と称される。
一方、金属のイオン化により誘発された電流は、正常状態で流れる人体電流に類似する。電流が、人体に電流チャンネル（すなわち、外部から導入されたエネルギーの経路）として経絡および鍼のツボを通って流れることができる場合には、人体は、その状態を正常状態として認識し、電流の速度に応答して急速な回復に導く。
いくつかの純金属、例えば、Ｍｇ、ＡｌおよびＺｎ、およびそれらの合金等は、より高いイオン化傾向を有し、一方、いくつかの純金属、例えば、Ｃｕ、Ａｇ、ＰｔおよびＡｕ、およびそれらの合金等は、より低いイオン化傾向を有することが一般に知られている。そのような金属要素およびそれらの合金を使用して、電流が人体を通って流れるのを可能にしている。例えば、鍼治療用の鍼は、過去２０００年の間、東洋医学の医師たちによって使用されており、注射用の針は、医師たちによって使用されている。
しかし、鍼治療用の鍼および注射用の針の使用は、人体に傷跡を残すため、傷跡を通して致命的な感染症（例えば、エイズおよび肝炎）の潜在的な危険性がある。このような状況下で、疾病を防止する観点から傷跡を残さずに疾病を治療するための新規な方法の必要性がある。
銅（６５％）および亜鉛（３５％）から構成される１０ウォンコイン（ウォンは韓国通貨単位である）、および銅（７５％）とニッケル（２５％）から構成される１００ウォンコインを、経絡および鍼のツボに接着して、金属のイオン化による電流の流れを誘発する。しかし、ニッケルの使用は、難病およびがんを発生させる可能性があるため、避けなければならない。加えて、コインは硬く、これは、患者にとって多大な不便さを発生し、人体に容易には接着せず、外観が悪い。これらの不利な点のため、多くの患者は、コインの使用には気が進まない。
特に、銅が１０ウォンコインおよび１００ウォンコインの両方に含まれるため、電流が反対方向に流れることもあり、したがって、結果として、低効率になる。
【０００５】
近年、小さな金属磁石をバンドに接着する製品を製造するための技術が開発されている。例えば、Hwang Hwa Sooらに付与された韓国特許第２２１，６４０号には、磁気テープから発生する起電力を利用し、銀合金ワイヤおよびアルミニウムワイヤを使用して神経および筋肉に反応を誘発することによって、様々な種類の疾病を治療することができるという原理に基づいて、医療用の磁気パッチが紹介されている。具体的には、図３に示されるように、前記磁気パッチは、接着剤部分１１を有する基部部材１０と、前記基部部材に配列された磁気テープ２０と、接着剤部分で一列に交互に配列された銀合金ワイヤ３０およびアルミニウムワイヤ４０と、を備える。前記磁気パッチは、その使用法の点で、本発明の製品とは区別され、それは下記に記載される。すなわち、先行技術の製品は、患者が痛みを感じる特定の部位に接着されるが、本発明の製品は、手および足の鍼のツボに接着される。加えて、先行技術の製品は、非常に高価であり、効果が少ないことが知られている。
【特許文献１】韓国特許第２２１，６４０号
【発明の開示】
【発明が解決しようとする課題】
【０００６】
本発明は、先行技術の問題を考慮して作られており、本発明の第１の目的は、一対の機能的金属イオンバンドを提供することであり、これは、異なる安価な合金材料から構成された金属プレートを備え、電流を金属のイオン化を利用する鍼治療用の鍼、注射用の針、コインおよびマグネットよりも高い速度で流すことができる。
本発明の第２の目的は、注射用の針および鍼治療用の鍼が使用される場合とは異なり、皮膚に何らの傷跡を残すことなく電流の流れを誘発する簡単なやり方で手と足の経絡および鍼のツボに接着することができる一対の安全な機能的金属イオンバンドを提供することである。
【課題を解決するための手段】
【０００７】
上記目的を達成するため、本発明の態様にしたがって、一対の機能的金属イオンバンドが提供され、その一方は、正電極として使用され、他方は、負電極として使用され、前記正電極は、Ｐｂ、Ｃｄ、Ｈｇおよび六価Ｃｒ（それらは、発がん性であるか、または致命的な疾患を引き起こす）がなく、特定有害物質使用制限（Restriction of Hazardous Substances）（ＲｏＨＳ）指令に準拠し、基本的材料として、５１〜９９．９６重量％の、９９．９２％の純度を有する電気負電極銅地金（Ｃｕ）または９９．９６％の純度を有する純銅を、０．０４〜４９重量％の、金（Ａｕ）、銀（Ａｇ）およびプラチナ（Ｐｔ）から選択された金属と混合して、金属合金を製造し、前記金属合金を冷間圧延し、前記冷間圧延された金属合金を、１μｍ〜１ｃｍの厚さおよび１ｍｍ〜５０ｃｍの直径を有する薄い金属プレートに切断し、前記金属プレートを柔らかな接着剤ファブリックの一方の側部に接着剤を使用して接着することによって製造され、前記負電極は、食品容器に使用されるのに適切であり、特定有害物質使用制限（ＲｏＨＳ）指令に準拠し、９９．３〜９９．７重量％のアルミニウム（Ａｌ）を、０．０１〜０．３重量％のケイ素（Ｓｉ）、０．０１〜０．３５重量％の鉄（Ｆｅ）、０．００１〜０．００２重量％の銅（Ｃｕ）、０．００１〜０．００３重量％のマンガン（Ｍｎ）、０．００１〜０．００５重量％のマグネシウム（Ｍｇ）、０．００１重量％の亜鉛（Ｚｎ）、０．００１〜０．００６重量％のチタン（Ｔｉ）および０．００５〜０．０３３重量％の空気と混合して、金属合金材料を製造し、前記金属合金材料を冷間圧延し、前記冷間圧延された金属合金材料を、１μｍ〜１ｃｍの厚さおよび１ｍｍ〜５０ｃｍの直径を有する薄い金属プレートに切断し、前記金属プレートを柔らかな接着剤ファブリックの一方の側部に接着剤を使用して接着することによって製造される。
本発明の１つの実施形態において、前記機能的金属イオンバンドの金属プレートは、円形、矩形または半月形の断面を有してもよい。
【発明の効果】
【０００８】
本発明による一対の機能的金属イオンバンドの使用は、鍼治療用の鍼、注射用の針、コインおよびマグネットを使用した場合に比較して、疾病の敏速で安全な連続した治療を可能にする。加えて、本発明による一対の機能的金属イオンバンドは、低コストで製造することができる。さらに、本発明による一対の機能的金属イオンバンドは、注射用の針および鍼治療用の鍼が使用される場合とは異なり、皮膚に何らの傷跡を残すことなく人体に電流の滑らかな流れを誘発する簡単なやり方で手と足の経絡および鍼のツボに同時に接着され、それによって、疾病状態を正常状態に速やかに変える。
本発明の上記の目的および他の目的、特徴および他の利点は、添付の図面と併せてなされた下記の詳細な説明から、より明らかに理解されよう。
【発明を実施するための最良の形態】
【０００９】
次に、本発明を、より詳細に説明する。
図１は、本発明による一対の機能的金属イオンバンドの一方の斜視図である。本発明による一対の機能的金属イオンバンドは、同一の外観を有する２つの金属イオンバンドから構成されるため、便宜上、一方の金属イオンバンドのみが図１に示されている。図２は、図１に示された機能的金属イオンバンドの側断面図である。
図１に示されるように、機能的金属イオンバンド１０は、中心に配置されたディスク型金属プレート１２と、両縁で感圧接着剤が塗布される接着剤部分１４を有する長円形接着剤ファブリック１６と、を備え、金属プレートは、金属合金材料から作られ、接着剤ファブリック１６は、例えばしっくいのような柔らかな材料から作られる。
金属プレート１２は、図１に示されるように、円形の断面を有する。図面には示されていないが、金属プレート１２は、様々な断面、例えば矩形および半月形を有してもよい。柔らかな接着剤ファブリック１６は、図１に示されるように、長円形状を有する。あるいは、柔らかな接着剤ファブリック１６は、様々な形状、例えば金属プレートの形状のように、円形、矩形または半月形を有してもよい。
柔らかな接着剤ファブリック１６に接着された金属プレート１２は、正電極または負電極として使用されてもよい。正電極としての金属プレート１２は、Ｐｂ、Ｃｄ、Ｈｇおよび六価Ｃｒ（それらは発がん性であるか、または致命的な疾患を引き起こす）がなく、特定有害物質使用制限（ＲｏＨＳ）指令に準拠し、基本的材料として、５１〜９９．９６重量％の、９９．９２％の純度を有する電気負電極銅地金（Ｃｕ）または９９．９６％の純度を有する純銅を、０．０４〜４９重量％の、金（Ａｕ）、銀（Ａｇ）およびプラチナ（Ｐｔ）から選択された金属と混合して、金属合金を製造し、前記金属合金を冷間圧延し、前記冷間圧延された金属合金を、１μｍ〜１ｃｍの厚さおよび１ｍｍ〜５０ｃｍの直径を有する薄い金属プレートに切断することによって、製造される。正電極としての金属プレート１２は、銅（Ｃｕ）が存在するため、金色を有する。
【００１０】
負電極としての金属プレート１２は、食品容器に使用されるのに適切であり、特定有害物質使用制限（ＲｏＨＳ）指令に準拠し、９９．３〜９９．７重量％のアルミニウム（Ａｌ）を、０．０１〜０．３重量％のケイ素（Ｓｉ）、０．０１〜０．３５重量％の鉄（Ｆｅ）、０．００１〜０．００２重量％の銅（Ｃｕ）、０．００１〜０．００３重量％のマンガン（Ｍｎ）、０．００１〜０．００５重量％のマグネシウム（Ｍｇ）、０．００１重量％の亜鉛（Ｚｎ）、０．００１〜０．００６重量％のチタン（Ｔｉ）および０．００５〜０．０３３重量％の空気と混合して、金属合金材料を製造し、前記金属合金材料を冷間圧延し、前記冷間圧延された金属合金材料を、１μｍ〜１ｃｍの厚さおよび１ｍｍ〜５０ｃｍの直径を有する薄い金属プレートに切断することによって、製造される。負電極としての金属プレート１２は、アルミニウム（Ａｌ）が存在するため、銀色を有する。
負電極としての金属プレート１２のマグネシウム（Ｍｇ）含有量は、５．６重量％へ増加させてもよく、代わりに、金属プレート１２のアルミニウム（Ａｌ）含有量は、９３．７０５重量％へ減少させてもよい。
金属プレートを構成する金属要素の１つの含有量が、上記に規定された範囲外になる場合には、金色または銀色の金属プレートの組成が変化し、これは、ヒトに有害であることもある。したがって、金属プレートの構成金属要素の含有量は、上記に規定されたそれぞれの範囲に限定されることが好ましい。金属プレートの構成金属要素は、より高いイオン化傾向を有し、特定有害物質使用制限（ＲｏＨＳ）指令に準拠しており、ヒトに無害である。一対の金属イオンバンドが、金色の金属プレートおよび銀色の金属プレートを備え、手と足の経絡および鍼のツボに同時に接着され、電流の滑らかな流れが人体に誘発され、結果として、疾病状態が速やかに正常状態に変わる。
【００１１】
図２に示されるように、本発明による一対の機能的金属イオンバンド１０は、長円形の柔らかな接着剤ファブリック１６に接着剤１８を塗布し、その上に金色および銀色の金属プレート１２の各々を接着することによって、製造することができる。所望により、ビニールカバー２０を使用して、機能的金属イオンバンドを完全に包むために使用してもよい。
本発明による一対の機能的金属イオンバンドを、右手および右足に、左手および左足に、右手および左足に、または左手および右足に、同時に接着することができる。特に、銀色のＡｌ合金製金属プレートを備える金属イオンバンドが、手の経絡または鍼のツボに接着される場合には、金色のＣｕ合金製金属プレートを備える金属イオンバンドは、足の経絡または鍼のツボに接着されなければならない。逆に、金色のＣｕ合金製金属プレートを備える金属イオンバンドが、手の経絡または鍼のツボに接着される場合には、銀色のＡｌ合金製金属プレートを備える金属イオンバンドは、足の経絡または鍼のツボに接着されなければならない。すなわち、手および足に接着される金属プレートを備える金属イオンバンドは、異なる色および組成を有さなければならない。この構成によって、一対の金属イオンバンドは、構成金属のイオン化により人体に微小電流（micro-current）を生成して流し、疾病状態を正常状態に速やかに変える。
【００１２】
実験実施例１
金色のＣｕ合金製金属プレートおよび銀色のＡｌ合金製金属プレートは、本発明に規定されたそれぞれの組成を有するように製造された。２つの金属プレートは、ビーカー内で電解液として水または食塩水に浸漬された。その後、金属のイオン化により誘発された微小電流が、１００Ωの抵抗でプロテック（Ｐｒｏｔｅｋ）４０００デジタルマルチメーター（Digital Multimeter）（真の実効値（ＴＲＵＥ  ＲＭＳ））を使用して測定された。この実験は、韓国、中央大学校、電気・電子工学部（the School of Electrical and Electronics Engineering, Chung-Ang University, Korea）の実験室で行われた。
電解液として水が使用された場合には、イオン化電流は、５０μＡ〜１００μＡの間であると測定されたが、これは、ＣｕおよびＡｌのイオン化電位差が５ｍＶ〜１０ｍＶの範囲であったことを示す。皮膚が実験室状況下で乾燥していた場合には、１０ｍＶの人体電流は、０．５μＡ（すなわち、Ｉ＝Ｖ／Ｒ＝１０ｍＶ／２０，０００Ω＝０．５μＡ）であると計算された。皮膚が湿潤していた場合には、１０ｍＶの人体電流は、１０μＡ（すなわち、Ｉ＝Ｖ／Ｒ＝１０ｍＶ／１，０００Ω＝１０μＡ）であると計算された。最低皮膚抵抗で、１０ｍＶの人体電流は、２０μＡ（すなわち、Ｉ＝Ｖ／Ｒ＝１０ｍＶ／５００Ω＝２０μＡ）であると計算された。
一方、電解液として食塩水が使用された場合には、イオン化電流は、１，０００μＡ前後で急激に減少し、１７０μＡ〜２００μＡの範囲に安定したが、これは、ＣｕおよびＡｌのイオン化電位差が１７ｍＶ〜２０ｍＶの範囲であったことを示す。皮膚が実験室状況下で乾燥していた場合には、２０ｍＶの人体電流は、１μＡ（すなわち、Ｉ＝Ｖ／Ｒ＝２０ｍＶ／２０，０００Ω＝１μＡ）であると計算された。皮膚が湿潤していた場合には、２０ｍＶの人体電流は、２０μＡ（すなわち、Ｉ＝Ｖ／Ｒ＝２０ｍＶ／１，０００Ω＝２０μＡ）であると計算された。最低皮膚抵抗で、２０ｍＶの人体電流は、４０μＡ（すなわち、Ｉ＝Ｖ／Ｒ＝２０ｍＶ／５００Ω＝４０μＡ）であると計算された。
【００１３】
生体内実験実施例１
金色のＣｕ合金製金属プレートおよび銀色のＡｌ合金製金属プレートは、本発明に規定されたそれぞれの組成を有するように製造された。２つの金属プレートは、それぞれ、水および食塩水で湿潤された。その後、金属プレートは、手と足の経絡および鍼のツボに同時に接着された。例えば、ｉ）肺がんによる痛みのある患者の場合には、金色の薄い金属プレートを備えるバンドは、患者の足の少陰腎経６（Kidney Meridian 6）（Ｋ６）に接着され、同時に、銀色の薄い金属プレートを備えるバンドは、患者の手の太陰肺経７（Lung Meridian 7）（Ｌ７）に接着された。ｉｉ）乳がんによる痛みのある患者の場合には、金色の薄い金属プレートを備えるバンドは、患者の足の太陰脾経４（Spleen Meridian 4）（Ｓｐ４）に接着され、同時に、銀色の薄い金属プレートを備えるバンドは、患者の手の厥陰心包経６（Pericardium Meridian 6）（Ｐ６）に接着された。ｉｉｉ）結腸がんによる痛みのある患者の場合には、金色の薄い金属プレートを備えるバンドは、患者の足の少陰腎経６（Kidney Meridian 6）（Ｋ６）に接着され、同時に、銀色の薄い金属プレートを備えるバンドは、患者の手の太陰肺経７（Lung Meridian 7）（Ｌ７）に接着された。ｉｖ）リンパ腫による痛みのある患者の場合には、金色の薄い金属プレートを備えるバンドは、患者の手の少陽三焦経５(Triple Energizer Meridian 5)（ＴＥ５）に接着され、同時に、銀色の薄い金属プレートを備えるバンドは、患者の足の少陽胆経４１(Gall-bladder Meridian 41)（Ｇ４１）に接着された。ｖ）心不全による痛みのある患者の場合には、金色の薄い金属プレートを備えるバンドは、患者の足の太陰脾経４(Spleen Meridian 4)（Ｓｐ４）に接着され、同時に、銀色の薄い金属プレートを備えるバンドは、患者の手の厥陰心包経６（Pericardium Meridian 6）（Ｐ６）に接着された。その後、人体を通って流れる微小電流は、プロテック４０００デジタルマルチメーター（真の実効値）を使用して、直接測定された。
金色のＣｕ合金製金属プレートおよび銀色のＡｌ合金製金属プレートが、それぞれ、水および食塩水で湿潤された場合には、イオン化電流値は、２μＡ〜４μＡの範囲にあると測定されたが、これは、世界の最低記録値である。
測定された電流値は、体液の濃度を実質的に変化せずに皮膚の鍼のツボおよび経絡に沿って流れる微小電流を表す。
【図面の簡単な説明】
【００１４】
【図１】本発明による一対の機能的金属イオンバンドの一方の斜視図である。
【図２】図１に示された機能的金属イオンバンドの側断面図である。
【図３】医療用の従来の磁気パッチの平面図である。
【符号の説明】
【００１５】
１０  機能的金属イオンバンド、１１  接着剤部分、１２  ディスク型金属プレート、１４  接着剤部分、１６  長円形接着剤ファブリック、１８  接着剤、２０  ビニールカバー、３０  銀合金ワイヤ、４０  アルミニウムワイヤ
【図１】
2009530015.tif 000004
【図２】
2009530015.tif 000005
【図３】
2009530015.tif 000006
【国際調査報告】
2009530015.tif 000007
2009530015.tif 000008